(57)【要約】  【課題】簡単な操作で転写物を保持する詰替カートリッジの交換を行うことができるようにした転写具を提供する。  【解決手段】転写用糊Ｔ及びこの転写用糊Ｔを転写対象物に接触させる転写ヘッドＫを保持する詰替カートリッジ１と、この詰替カートリッジ１を着脱可能に収納するケース２と、このケース２に取り付けられケース２に対して相対的にスライド移動可能なスライド部材３とを具備してなり、このスライド部材３のスライド移動に連動して、詰替カートリッジ１をスライド部材３のスライド方向と略直交する方向へ直線的に離間させる離間機構Ｘを介して詰替カートリッジ１とケース２とを分離させるように構成したものであり、ケース２に、スライド部材３のスライド方向と略直交する方向に沿って延びる溝２２１、２３１を設けるとともに、詰替カートリッジ１に、スライド部材３のスライド移動に伴って溝２２１、２３１に案内される突起部１２５ａ、１２５ｂを設けた。【選択図】図４
2005193999.tif 000002
【特許請求の範囲】
【請求項１】
転写物を転写対象物に転写する際に用いられる転写具であって、
少なくとも前記転写物を保持する詰替カートリッジと、当該詰替カートリッジを着脱可能に収納するケースと、当該ケースに取り付けられ当該ケースに対して相対的にスライド移動可能なスライド部材とを具備してなり、当該スライド部材のスライド移動に連動して、前記詰替カートリッジをスライド部材のスライド方向と異なる所定方向へ直線的に離間させる離間機構を介して前記詰替カートリッジと前記ケースとを分離させるように構成したものであり、
前記ケースに、前記スライド部材のスライド方向と異なる前記所定方向に沿って延びるガイド部を設けるとともに、前記詰替カートリッジに、前記スライド部材のスライド移動に伴って前記ガイド部に案内される被ガイド部を設けていることを特徴とする転写具。
【請求項２】
転写物を転写対象物に転写する際に用いられる転写具であって、
前記転写物及び該転写物を転写対象物に接触させる転写ヘッドを保持する詰替カートリッジと、当該詰替カートリッジを着脱可能に収納するケースと、当該ケースに取り付けられ当該ケースに対して相対的にスライド移動可能なスライド部材とを具備してなり、当該スライド部材のスライド移動に連動して、前記詰替カートリッジをスライド部材のスライド方向と異なる所定方向へ直線的に離間させる離間機構を介して前記詰替カートリッジと前記ケースとを分離させるように構成したものであり、
前記ケースに、前記スライド部材のスライド方向と異なる前記所定方向に沿って延びるガイド部を設けるとともに、前記詰替カートリッジに、前記スライド部材のスライド移動に伴って前記ガイド部に案内される被ガイド部を設けていることを特徴とする転写具。
【請求項３】
前記スライド部材のスライド方向と異なる所定方向が、前記スライド部材のスライド方向と略直交する方向であり、前記ガイド部が、前記スライド部材のスライド方向と略直交する方向に沿って延びるものである請求項１又は２記載の転写具。
【請求項４】
前記離間機構が、前記スライド部材に形成した突部と、前記詰替カートリッジにおいて前記突部のスライド移動線上に設けられ前記スライド部材のスライド移動に伴って前記突部と当接し、且つ前記詰替カートリッジをスライド部材のスライド方向と異なる前記所定方向へ直線的に離間させる離間誘発部とを具備してなる請求項１、２又は３記載の転写具。
【請求項５】
前記突部及び前記離間誘発部に、前記スライド部材のスライド移動過程で当接し合うテーパ面をそれぞれ形成している請求項４記載の転写具。
【請求項６】
前記詰替カートリッジが転写物及び該転写物を転写対象物に接触させる転写ヘッドを保持するものであり、前記スライド部材の分離操作方向を前記詰替カートリッジに支持される前記転写ヘッドとは反対方向に設定している請求項４又は５記載の転写具。
【請求項７】
前記ケースが、転写具の一方の外側壁を構成する第１外側板と、当該第１外側板の周縁における所定領域から外側板と略直交する方向に起立させてなる起立板とを具備し、当該起立板に前記ガイド部を形成している請求項１、２、３、４、５又は６記載の転写具。
【請求項８】
前記ガイド部が溝であり、前記被ガイド部が前記溝に嵌まり込む突起部である請求項１、２、３、４、５、６又は７記載の転写具。
【請求項９】
前記溝が、前記起立板に設けた一対のリブ間に形成したものでる請求項８記載の転写具。
【請求項１０】
前記溝が、前記起立板の所定領域における肉厚を周辺領域より肉薄に設定することに形成される凹溝である請求項８記載の転写具。
【請求項１１】
前記溝が、一方の端部を開口させてなる開口縁を有し、当該開口縁から前記突起部を挿脱可能に構成したものであり、前記溝の開口巾寸法を前記開口縁に向かって漸次幅広となるように設定している請求項８、９又は１０記載の転写具。
【請求項１２】
前記詰替カートリッジが、転写具の他方の外側壁を構成する第２外側板と、この第２外側板に対向配置される内側板とを具備し、これら第２外側板と内側板との間に少なくとも前記転写物挟持している請求項１、２、３、４、５、６、７、８、９、１０又は１１記載の転写具。
【請求項１３】
前記第２外側板と前記内側板とを、前記第２外側板又は前記内側板の何れか一方に設けた突起体と、他方に設けられ前記突起体を外嵌し得る筒状部とを嵌合することにより一体的に組付可能に構成している請求項１２記載の転写具。
【請求項１４】
前記ガイド部が溝であり、前記被ガイド部が前記溝に嵌まり込む突起部であり、当該突起部を前記筒状部の外周面に一体に設けている請求項１３記載の転写具。
【請求項１５】
前記ケースに前記ガイド部を複数設けるとともに、前記詰替カートリッジに前記被ガイド部を前記ガイド部に対応させて複数設けている請求項１、２、３、４、５、６、７、８、９、１０、１１、１２、１３又は１４記載の転写具。
【請求項１６】
前記ガイド部を前記ケースの上縁部近傍領域と下縁部近傍領域とに対向するように一対にして設けるとともに、前記被ガイド部を前記詰替カートリッジの上縁部近傍領域と下縁部近傍領域とに対向するように一対にして設けている請求項１、２、３、４、５、６、７、８、９、１０、１１、１２、１３、１４又は１５記載の転写具。
【請求項１７】
前記スライド部材をスライド始端位置において前記ケースと係り合わせる係止手段を形成し、前記スライド部材に、当該スライド部材のスライド操作を行う際に使用者が指を掛け得る操作部を設け、当該操作部への操作に応じて前記係止手段における係合状態が解除されるように構成している請求項１、２、３、４、５、６、７、８、９、１０、１１、１２、１３、１４、１５又は１６記載の転写具。
【請求項１８】
前記詰替カートリッジに前記スライド部材のスライド方向に沿って突出させてなる嵌合爪を設け、前記スライド部材に、スライド始端位置において前記嵌合爪に嵌合可能な嵌合孔を設けている請求項１、２、３、４、５、６、７、８、９、１０、１１、１２、１３、１４、１５、１６又は１７記載の転写具。
【発明の詳細な説明】
【技術分野】
【０００１】
本発明は、転写物を転写対象物に転写する際に用いる転写具に関するものである。
【背景技術】
【０００２】
粘着テープや粘着性を有しないテープ等のテープ類、固体又は液体のり、接着剤等の転写物を紙葉類等の転写対象物に転写する際に用いる転写具が従来から各種考えられている。このような転写具として、例えば、粘着テープ等の転写物とこの転写物を転写対象物に接触させる転写ヘッドとを一体的に保持する詰替カートリッジを、所定のケースに着脱可能に収納するタイプが周知である。そして転写物を全て使用してしまった場合、又は転写ヘッドが損傷した場合等には、詰替カートリッジとケースとのロック状態を解除し、詰替カートリッジを一旦ケースから取り外し、新たな転写物及び新たな転写ヘッドを備えた詰替カートリッジと交換するように構成したものがある（例えば、特許文献１参照）。
【特許文献１】特開２００２−１７８６９４公報（図２等）
【発明の開示】
【発明が解決しようとする課題】
【０００３】
ところが、このような構成の転写具においては、詰替カートリッジとケースとを相互に比較的しっかりと係り合わせる構造が採用されているため、使用者が詰替カートリッジを交換するときには、両手を使い力を込めて詰替カートリッジをケースから分離させる必要があるので、その分離作業が大変不便なものとなっている。また、詰替カートリッジをケースに組み付けた状態においてできるだけ違和感のない使用状態を得るために詰替カートリッジとケースとの境界に凹凸を作らないように設計した場合には、使用者にとってその境界が認識しづらく、結果的に詰替カートリッジの交換時にどの部位をどのように操作すれば詰替カートリッジをケースから取り外せるのかがわかりにくく、その手間がより一層煩雑となっている。さらに、ケース及び詰替カートリッジそれぞれの先端部側に相互に係り合う係合部を設け、この係合部を支点として詰替カートリッジを回転させ、ケース及び詰替カートリッジそれぞれの後端部側の離間距離が大きく変化する構造を利用して詰替カートリッジをケースから取り外すように設定し、一方、新たな詰替カートリッジをケースに組み付ける作業を、ケース及び詰替カートリッジそれぞれの先端部同士を相互に係り合わせ、この係合部を支点に詰替カートリッジを回転させることにより行う転写具も考えられている。しかしながら、このような転写具は、詰替カートリッジの交換作業時に詰替カートリッジを回転させるという煩雑な作業が要求されるため、使い慣れていない使用者、特に初めて使用する者にとっては交換作業を簡単かつスムーズに行うことができず、今ひとつ使い勝手に優れないという不具合が生じる。また上記転写具は、詰替カートリッジの交換方法が認識し難いという問題もある。
【０００４】
そこで本発明は、以上のような問題に鑑みて、簡単な操作で詰替カートリッジの交換をスムーズに行うことができる転写具を提供しようとするものである。
【課題を解決するための手段】
【０００５】
すなわち、本発明の転写具は、転写物を転写対象物に転写する際に用いられる転写具であって、少なくとも前記転写物を保持する詰替カートリッジと、この詰替カートリッジを着脱可能に収納するケースと、このケースに取り付けられケースに対して相対的にスライド移動可能なスライド部材とを具備してなり、このスライド部材のスライド移動に連動して、前記詰替カートリッジをスライド部材のスライド方向と異なる所定方向へ直線的に離間させる離間機構を介して前記詰替カートリッジと前記ケースとを分離させるように構成したものであり、前記ケースに、前記スライド部材のスライド方向と異なる前記所定方向に沿って延びるガイド部を設けるとともに、前記詰替カートリッジに、前記スライド部材のスライド移動に伴って前記ガイド部に案内される被ガイド部を設けていることを特徴とする。
【０００６】
このようなものであれば、スライド部材をスライド移動させるだけで、詰替カートリッジをスライド部材のスライド方向と異なる所定方向へ直線的に分離させることができるため、回転動作により詰替カートリッジをケースから分離する従来のものと比較して、詰替カートリッジを容易に分離することができ、転写物及び転写ヘッドを保持する詰替カートリッジの交換作業を極めて簡単に行うことができる。しかも、スライド部材のスライド方向と異なる前記所定方向に沿って延びるガイド部に被ガイド部を案内させているため、スムーズかつ的確に詰替カートリッジを交換することができる。加えて、ガイド部が、詰替カートリッジの装着箇所（詰替えポジション）を認識させる役割を果たすため、詰替カートリッジをケースに組み付ける作業も容易に行えることができ、詰替カートリッジの交換作業のさらなる簡便化を有効に図ることができる。また、このようなものであれば、従来品のようにホルダを両手で持ち且つ相応の力を加えなければ分解して転写物の交換ができなかったという不具合を解消し、たとえケースと詰替カートリッジとの境界部分が分かりにくいものであってもそれとは関係なく詰替カートリッジをケースから分離させることができる。
【０００７】
上記と同様の効果を得る他の具体的な実施態様としては、転写物を転写対象物に転写する際に用いられる転写具であって、前記転写物及びこの転写物を転写対象物に接触させる転写ヘッドを保持する詰替カートリッジと、この詰替カートリッジを着脱可能に収納するケースと、このケースに取り付けられケースに対して相対的にスライド移動可能なスライド部材とを具備してなり、このスライド部材のスライド移動に連動して、前記詰替カートリッジをスライド部材のスライド方向と異なる所定方向へ直線的に離間させる離間機構を介して前記詰替カートリッジと前記ケースとを分離させるように構成したものであり、前記ケースに、前記スライド部材のスライド方向と異なる前記所定方向に沿って延びるガイド部を設けるとともに、前記詰替カートリッジに、前記スライド部材のスライド移動に伴って前記ガイド部に案内される被ガイド部を設けているものが挙げられる。
【０００８】
具体的な実施態様としては、前記スライド部材のスライド方向と異なる所定方向が、前記スライド部材のスライド方向と略直交する方向であり、前記ガイド部が、前記スライド部材のスライド方向と略直交する方向に沿って延びるものであることが挙げられる。
【０００９】
簡素な構成でありながら詰替カートリッジをケースから確実に離間させるには、前記離間機構を、前記スライド部材に形成した突部と、前記詰替カートリッジにおいて前記突部のスライド移動線上に設けられ前記スライド部材のスライド移動に伴って前記突部と当接し、且つ前記詰替カートリッジをスライド部材のスライド方向と異なる前記所定方向へ直線的に離間させる離間誘発部とを用いて構成すればよい。この場合、前記突部及び前記離間誘発部に、前記スライド部材のスライド移動過程で当接し合うテーパ面をそれぞれ形成すれば、スライド部材のスライド動作に伴って突部側のテーパ面が離間誘発部側のテーパ面に乗り上げることになり、それに伴いケースと詰替カートリッジとを容易に分離することができる。
【００１０】
特に、前記詰替カートリッジが転写物及びこの転写物を転写対象物に接触させる転写ヘッドを保持するものであり、前記スライド部材の分離操作方向を前記詰替カートリッジに支持される前記転写ヘッドとは反対方向に設定すれば、スライド部材の存在が転写具の通常の使用時の邪魔にならず、好適である。
【００１１】
また、前記ケースが、転写具の一方の外側壁を構成する外側板と、この外側板の周縁における所定領域から外側板と略直交する方向に起立させてなる起立板とを具備し、この起立板に前記ガイド部を形成すれば、この起立板を利用して詰替カートリッジの交換作業を簡便に行うことができる。
【００１２】
ガイド部及び被ガイド部を簡単に形成し、且つ詰替カートリッジの交換作業の確実性を有効に高めるには、前記ガイド部が溝であり、前記被ガイド部が前記溝に嵌まり込む突起部であることが望ましい。
【００１３】
溝の具体的な実施形態としては、前記起立板に設けた一対のリブ間に形成したものや、前記起立板の所定領域における肉厚を周辺領域より肉薄に設定することに形成される凹溝が挙げられる。加えて、溝が、一方の端部を開口させてなる開口縁を有し、この開口縁から前記突起部を挿脱可能に構成したものであり、前記溝の開口巾寸法を前記開口縁に向かって漸次幅広となるように設定していれば、突起部の溝への挿入作業を容易に行うことができ、詰替カートリッジの交換作業をより簡単かつスムーズに行うことができる。
【００１４】
また、前記詰替カートリッジが、転写具の他方の外側壁を構成する第２外側板と、この第２外側板に対向配置される内側板とを具備し、これら第２外側板と内側板との間に少なくとも前記転写物を挟持するように設定することにより、転写物と転写ヘッドとを第２外側板と内側板との間に安定保持することができるとともに、詰替カートリッジの交換作業時に転写物や転写ヘッドが不意に外れることがなく、交換作業をスムーズに行うことができる。
【００１５】
さらに、第２外側板と内側板とを簡単に組付ける構成としては、前記第２外側板と前記内側板とを、前記第２外側板又は前記内側板の何れか一方に設けた突起体と、他方に設けられ前記突起を外嵌し得る筒状部とを嵌合することにより一体的に組付可能に構成したものが挙げられる。このようなものであれば、突起体と筒状部とを嵌合させることにより、第２外側板と内側板との組付状態も良好なものとすることができる。
【００１６】
前記溝に嵌まり込む突起部を前記筒状部の外周面に一体に設ければ、突起部が筒状部を補強するリブとして機能し、筒状部の強度を高めることができる。
【００１７】
詰替カートリッジの分離動作をより安定したものとするためには、前記ケースに前記ガイド部を複数設けるとともに、前記詰替カートリッジに前記被ガイド部を前記ガイド部に対応させて複数設けていればよい。特に、前記ガイド部を前記ケースの上縁部近傍領域と下縁部近傍領域とに対向するように一対にして設けるとともに、前記被ガイド部を前記詰替カートリッジの上縁部近傍領域と下縁部近傍領域とに対向するように一対にして設ければ、必要最小限のガイド部及び被ガイド部を用いて、安定した詰替カートリッジの分離動作と、製作工程の簡略化とを同時に実現することができる。
【００１８】
また、前記スライド部材をスライド始端位置において前記ケースと係り合わせる係止手段を形成し、前記スライド部材に、このスライド部材のスライド操作を行う際に使用者が指を掛け得る操作部を設け、この操作部への操作に応じて前記係止手段における係合状態が解除されるように構成していれば、詰替カートリッジの交換作業の容易性を損なわずに、転写具の使用時にスライド部材が不意に動作することを防止することができる。
【００１９】
加えて、前記詰替カートリッジに前記スライド部材のスライド方向に沿って突出させてなる嵌合爪を設け、前記スライド部材に、スライド始端位置において前記嵌合爪に嵌合可能な嵌合孔を設けることにより、使用時に詰替カートリッジが不意にスライド部材のスライド方向と異なる所定方向へ外れることを防止することができる。
【発明の効果】
【００２０】
以上説明したように本発明の転写具によれば、スライド部材をスライド移動させることより、詰替カートリッジをスライド部材のスライド方向と異なる所定方向へ直線的に分離させることができるため、詰替カートリッジの交換作業を極めて簡単に行うことができ、その結果、新品の転写具を簡単に取り替えることが可能となる。特に、スライド部材のスライド方向と異なる前記所定方向にに沿って延びるガイド部に被ガイド部を案内させているため、スムーズかつ的確に詰替カートリッジを交換することができる。また、ガイド部が、詰替カートリッジの詰替えポジションを認識させる役割を果たすため、詰替カートリッジの交換作業のさらなる簡便化を有効に図ることができる。さらに、詰替カートリッジをスライド部材やケースとは別体とすることで、交換する部品、すなわち詰替カートリッジの存在を明確化することができ、詰替カートリッジの交換作業の便に資する。
【発明を実施するための最良の形態】
【００２１】
以下、本発明の一実施形態を、図面を参照して説明する。
【００２２】
本発明に係る転写具Ａは、例えば図１乃至図３に示すように、テープ本体Ｔａと、このテープ本体Ｔａの片面に所定のパターンで貼着した図示しない糊とからなる転写物たる転写用糊Ｔを内部に収容し、この転写用糊Ｔを転写対象物たる紙葉類等の紙面（図示省略）等に貼付するものである。
【００２３】
転写具Ａは、主として、前記転写用糊Ｔ及び転写用糊Ｔを紙葉類等の紙面等に接触させる転写ヘッドＫを保持する詰替カートリッジ１と、この詰替カートリッジ１を着脱可能に収納するケース２と、前記ケース２に取り付けられこのケース２に対して相対的にスライド移動可能なスライド部材３とを備えたものである。そして、使用済の転写用糊Ｔを有する詰替カートリッジ１をケース２から分離し、新品の転写用糊Ｔを有する新たな詰替カートリッジ１をケース２に組み付けることができるようにしている。そして、そのための構成としてこの転写具Ａは、スライド部材３のスライド移動に連動して、詰替カートリッジ１をスライド部材３のスライド方向と略直交する方向へ直線的に離間させる離間機構Ｘを介して詰替カートリッジ１とケース２とを分離可能に設定している。なお、以下の説明において位置もしくは方向を示す用語である「前」とは、転写ヘッドが位置する側を指し、「後」とは転写ヘッドが位置する側の反対側を指す。また、「前後方向」とは転写具の長手方向を指す。
【００２４】
詰替カートリッジ１は、図１乃至図３に示すように、主として、転写具Ａの一方の外側壁となる第２外側板１１と、この第２外側板１１に対向配置される内側板１２とから構成され、これら第２外側板１１と内側板１２との間に、巻出用スプールＳＰ１及び巻取用スプールＳＰ２に取り付けられた転写用糊Ｔと、転写ヘッドＫとを挟み込むようにして保持している。
【００２５】
第２外側板１１は、例えば合成樹脂製の薄板状をなし、本実施形態では側面視概略卵形をなすものとしている。第２外側板１１の前端部には、斜め下方に向かって延出させてなる薄板状の延出部１１０を設け、この延出部１１０の略中央部に後述するヘッドキャップＣの回転支軸Ｃ１が挿入可能な貫通孔１１０ａを形成してある。また、第２外側板１１の内側面における前端部には、転写ヘッドＫを支持し得る支持軸１１１を内側板１２側に向けて突出するように形成している。これに対して転写ヘッドＫには、前記支持軸１１１を挿入させる孔部Ｋｂが形成してある。さらに、第２外側板１１の後端部には、後方に突出させてなる嵌合爪１１２を設け、この嵌合爪１１２を、転写具Ａの使用状態（スライド部材３がスライド始端位置に位置する状態）においてスライド部材３に形成した後述する嵌合孔３２１に嵌合するように設定してある。なお、第２外側板１１の内側面には、内側板１２に一側端部側を支持される巻出用スプールＳＰ１及び巻取用スプールＳＰ２の他方の側端部が当接又は近接し得る所定領域に、巻出用スプールＳＰ１及び巻取用スプールＳＰ２をそれぞれ回転可能に支持する図示しない支持凹部を形成している。
【００２６】
一方、内側板１２は、例えば合成樹脂製の薄板状をなすものであり、本実施形態では後端部側を側面視略部分円弧状にするとともに、前端部側を側面視略方形状としている。この内側板１２の前端部にも、第２外側板１１と同様に、斜め下方に向かって延出させてなる延出部１２０を設け、この延出部１２０の略中央部に後述するヘッドキャップＣの回転支軸Ｃ１が挿入可能な貫通孔１２０ａを形成してある。そして、内側板１２と第２外側板１１とを組み付けた状態において、それぞれに設けた延出部１１０、１２０が対向し、延出部１１０、１２０の貫通孔１１０ａ、１２０ａにヘッドキャップＣの回転支軸Ｃ１をそれぞれ挿着することにより、ヘッドキャップＣが回転支軸Ｃ１を支点に回動するように設定している。なお、このヘッドキャップＣは、転写具Ａの不使用時に転写ヘッドＫの先端部Ｋａを覆い隠す転写ヘッド被覆位置と、転写具Ａの使用時に転写ヘッドＫを表出させケース２に係留される転写ヘッド表出位置との間で回動するように設定されている。なお、図１は、ヘッドキャップＣを転写ヘッド被覆位置に位置させた状態を示している。また、内側板１２の内側面における前端部には、上述したように第２外側板１１に形成され転写ヘッドＫを支持する支持軸１１１の先端部を受け入れる受孔１２１を形成している。また、内側板１２の後端部側及び前後方向略中央部には、巻出用スプールＳＰ１及び巻取用スプールＳＰ２をそれぞれ回転可能に支持し得る支持孔１２２、１２３を開口させている。なお、巻出用スプールＳＰ１用の支持孔１２２の直径は、巻取用スプールＳＰ２用の支持孔１２３の直径よりも大きくしてあるが、これは、巻出用スプールＳＰ１及び巻取用スプールＳＰ２の各径の大きさに対応させたためである。ここで、巻出用スプールＳＰ１及び巻取用スプールＳＰ２は、いずれも両側端部に鍔部を一体に設けた略円筒状をなしており、一側端部を前記支持孔１２２、１２３に挿入し且つ他方の側端部を前記第２外側板１１の支持凹部に挿入した状態で、内側板１２と第２外側板１１との間に回転可能に支持されている。
【００２７】
これら第２外側板１１と内側板１２とは、図３に示すように、嵌め合わせ構造となっている。そのために、第２外側板１１の内側面に筒状部１１３ａと、本発明の突起体たる小突起１１３ｂ、１１３ｃ、１１３ｄ、１１３ｅとを内側板１２側へ突出させて設け、内側板１２の内側面には筒状部１１３ａに内嵌し得る本発明の突起体たる小突起１２４ａと、各小突起１１３ｂ、１１３ｃ、１１３ｄ、１１３ｅをそれぞれ外嵌し得る筒状部１２４ｂ、１２４ｃ、１２４ｄ、１２４ｅとを第２外側板１１側に突出させて設けている。具体的には、第２外側板１１の前端部側に扁平な形状をなす筒状部１１３ａを形成し、前後方向略中央部における上下２箇所に小突起１１３ｂ、１１３ｃを形成し、後端部側に高さ方向に所定距離離間させて小突起１１３ｄ、１１３ｅを形成している。なお、小突起１１３ｂ、１１３ｃ、１１３ｄ、１１３ｅは何れも突出寸法の小さい略円柱状をなしている。そして、筒状部１１３ａ、各小突起１１３ｂ、１１３ｃ、１１３ｄ、１１３ｅの形成箇所に対応させて内側板１２の所定箇所に小突起１２４ａ、筒状部１２４ｂ、１２４ｃ、１２４ｄ、１２４ｅを設けている。前端部側の小突起１２４ａは、筒状部１１３ａの形状に薄板状に設定しており、筒状部１２４ｂ、１２４ｃ、１２４ｄ、１２４ｅは略円筒状をなしている。また、これら小突起１２４ａ、及び筒状部１２４ｂ、１２４ｃ、１２４ｄ、１２４ｅは、内側板１２の周縁部に設けられている。しかして、本実施形態においては、前後方向略中央部に設けた上下２つの筒状部１２４ｂ、１２４ｃの外周面に連続させて本発明の被ガイド部たる突起部１２５ａ、１２５ｂを一体に設けている。突起部１２５ａは、筒状部１２４ｂの外周面からさらに上方に向かって突出させたものであり、他方、突起部１２５ｂは、筒状部１２４ｃの外周面からさらに下方に向かって突出させたものであり、それぞれ平面視略部分円弧状をなしている。そして、第２外側板１１と内側板１２とを組み付けた状態において、突出部１２５ａの上縁が第２外側板１１の上縁より若干下方に位置するとともに、突出部１２５ｂの下縁が第２外側板１１の下縁より若干上方に位置するように設定してある。
【００２８】
ケース２は、図１及び図２に示すように、前記第２外側板１１と対をなして転写具Ａの外側壁を構成する第１外側板２１と、この第１外側板２１の上縁及び下縁からそれぞれ第１外側板２１と略直交する方向に起立させてなる上下一対の起立板２２、２３とを備えたものである。そして、ケース２に詰替カートリッジ１を組み付けた状態において、これら上下一対の起立板２２、２３が、第２外側板１１の上縁及び下縁との間を略閉塞するように設定してある。
【００２９】
第１外側板２１は、第２外側板１１と同様に、例えば合成樹脂製の薄板状をなすものであり、後端部側に後述するスライド部材３を取り付け可能に構成し、本実施形態ではスライド部材３を後端部側取り付けた状態における側面視形状を、詰替カートリッジ１の第２外側板１１の側面視形状に略対応するように設定している。この第１外側板２１の内側面に、前記巻出用スプールＳＰ１及び巻取用スプールＳＰ２を回転駆動するための大径な巻出用ギアＧ１と、巻出用ギアＧ１と噛合しより小径な巻取用ギアＧ２とを取付可能に構成している。巻出用ギアＧ１は、巻出用ギアＧ１の中央部に形成した挿通孔を第１外側板２１の後端部側に形成した軸２１１に挿通させ、次いでこの軸２１１にコアＨ１を脱落不能に取り付けることにより、外側板２１の内側面に取り付けられている。一方、巻取用ギアＧ２は、コアＨ２を一体に有するものであり、その中央部に形成した挿通孔を第１外側板２１の前後方向略中央部より若干前端部側に形成した軸２１２に挿通させることにより、外側板２１の内側面に取り付けられている。そして、ケース２と詰替カートリッジ１とを嵌め合わせた際に、コアＨ１の外周が巻出用スプールＳＰ１の内周と噛み合うととともに、コアＨ２の外周が巻取用スプールＳＰ２の内周と噛み合うようにしている。また、第１外側板２１の中央部には、前後方向に延びるスリット２１４を上下に対をなして形成し、このスリット２１４を利用して後述するスライド部材３を前後方向にスライド移動可能に取り付けるている。
【００３０】
一方、起立板２２、２３は、それぞれ所定の肉厚を有するものであり、ケース２に詰替カートリッジ１を嵌め合わせた際に、詰替カートリッジ１の内側板１２に設けた突起部１２５ａ、１２５ｂが嵌まり込む本発明のガイド部たる溝２２１、２３１と、第２外側板１１の内側面側の周縁部が当接し得る当接片２２２、２３２とを一体に有する。溝２２１、２３１は、各起立板２２、２３の起立方向に沿ってそれぞれ設けた一対のリブ２２１ａ間、及び２３１ａ間に形成されたものであり、前記突起部１２５ａ、１２５ｂを設けた箇所に対応する所定箇所に形成してある。そして、各溝２２１、２３１は、それぞれ一方の端部を詰替カートリッジ１側に開口させてなる開口縁とし、この開口縁を利用して詰替カートリッジ１の突起部１２５ａ、１２５ｂを挿脱可能に構成している。当接片２２２、２３２は、起立板２２、２３の先端部から、他方の起立板２３、２２に向かって第１外側板２１と略平行をなすように若干突出させたものである。各当接片２２２、２３２は、リブ２２１ａ同士の間、及びリブ２３１ａ同士の間には設けず、各溝２２１、２３１の開口縁が詰替カートリッジ１側に開口するように設定している。なお、ケース２に詰替カートリッジ１を嵌め合わせた際に、起立板２２、２３と第２外側板１１の外側面とが略面一となるように、当接片２２２、２３２を薄肉に設定している。
【００３１】
スライド部材３は、図１乃至図３に図示するように、第１外側板２１に形成した上下一対のスリット２１４に沿って、すなわち第１外側板２１の前後方向に沿ってスライド移動するものであり、第１外側板２１の外側面に沿って配置される側板３１と、ケース２の後端部側の略全域を覆うように設けられる操作板３２とを一体成形してなる、例えば合成樹脂製の平面視Ｌ字形をなす部材である。なお、側板３１の外側面が、第１外側板２１の外側面と略面一となるように配置されており、そのために、第１外側板２１の外側面には、前記スリット２１４の周囲を前記側板３１の形状に対応するように所定領域を窪ませている。また、操作板３２は、ケース２の起立板２２、２３の後端部側の湾曲形状に沿って側面視概略部分円弧状に湾曲させたものであり、内側面の中央部に、詰替カートリッジ１の第２外側板１１の後端部に設けた嵌合爪１１２が嵌合する嵌合孔３２１を形成するとともに、外側面における両端部に一対の操作部３２２を形成している。ここで、これら操作部３２２は、使用者の指掛かりを良好なものとするために外方へ突出した形状としているが、外側面を部分的に窪ませた形状であってもよい。また、各操作板３２の一端部からそれぞれ前方に向けて突出させた鉤状の係止片３２３を形成している。このような構成を有するスライド部材３に対してケース２は、起立板２２、２３の後端部に前記係止片３２３が係合可能な係止孔２２４、２３４を形成している。そして、一対の係止片３２３と、これら係止片３２３に対応する係止孔２２４、２３４とによって本発明の係止手段を構成し、係止片３２３と係止孔２２４、２３４とをそれぞれ相互に係り合わせることによって、スライド始端位置においてスライド部材３をケース２に安定保持させている。以上の構成により、スライド部材３をケース２に取り付け、且つ詰替カートリッジ１をケース２に組み付けた組立状態では、スライド部材３は、嵌合孔３２１と嵌合爪１１２との嵌合により詰替カートリッジ１と密接に関連付けられ、係止片３２３と係止孔２２４、２３４との係合によりケース２と係り合った状態となる。
【００３２】
このよう構成を有する転写具Ａを紙面等に接触させて所定方向にスライドさせると、転写ヘッドＫの先端部Ｋａと紙面等との間に挟まれた転写用糊Ｔが摩擦力で巻出用ギアＧ１と共に回転する巻出用スプールＳＰ１から送り出され、テープ本体Ｔａの片面に貼着した糊が紙面に貼付されると同時に、巻出用ギアＧ１に伴って逆回転する巻取用ギアＧ２と共に巻取用スプールＳＰ２が回転することによって、片面に糊を有しないテープ本体Ｔａが巻取用スプールＳＰ２に巻き取られることになる。なお、第２外側板１１の外側面側に設けた側面視部分円弧状のスリット１１４から、巻出用スプールＳＰ１の外側面に円周方向に沿って間欠的に設けた図示しない丸溝に、ドライバやペン等先端部に尖った部位を有する適宜の工具又は筆記具等を差し込んで巻出用スプールＳＰ１を回転させると、それに伴って巻取用スプールＳＰ２も連動して回転することにより転写具Ａ内での転写用糊Ｔの緩みを調整できるようにしている。
【００３３】
しかして、この転写具Ａは、スライド部材３を所定方向へスライド移動させることにより、詰替カートリッジ１とケース２とを分離可能に構成し、スライド部材３、詰替カートリッジ１及びケース２を相互に関連づけて離間機構Ｘを形成している。離間機構Ｘは、ケース２の上下のスリット２１４内に挿入されるように側板３１の内側面側に形成した上下一対の突部３１１と、同じくスリット２１４内に挿入されるように前記詰替カートリッジ１の内側板１２においてケース２側に向けて形成した上下一対の離間誘発部１２６とから構成されている。この離間誘発部１２６は薄板状をなすものであり、前端部側を向いて傾斜するテーパ面１２６ａを形成している。本実施形態においてこのテーパ面１２６ａは、平面視略部分円弧状をなして緩やかに湾曲するものとしている。そして、このような離間誘発部１２６を、突部３１１のスライド移動線上であるスリット２１４に挿入して待機させている。一方、前記突部３１１も薄板状の鉤形をなしており、後端部側を向いて傾斜するテーパ面３１１ａを形成している。この傾斜面３１１ａは、離間誘発部１２６のテーパ面１２６ａに対応して部分円弧状をなして湾曲させている。また、転写具Ａの使用時にはスライド部材３をスライド始端位置に留めておくために、スライド始端位置にスライド部材３を位置させた状態において突部３１１の先端部を収容し得る収容部１２７を、内側板１２の外側面上に形成している。
【００３４】
一方、スライド部材３がスライド動作に伴って後方に抜出しないように、スライド部材３に、突部３１１よりも後方位置において上下のスリット２１４内に挿入される上下一対の小突部３１２を形成し、スライド部材３を所定距離後方へスライド移動させた時点（スライド終端位置）で、小突部３１２がスリット２１４に形成した図示しないストッパ部に当接するように設定している。このストッパ部を、例えばスリット２１４の開口幅を小さく設定することによって突部３１１が当接するようにしたもの、又はスリット２１４の開口縁そのものを利用して構成すればよい。
【００３５】
次に、本実施形態における詰替カートリッジ１とケース２との分離手順について、図４を用いて説明する。なお、図４は一部を省略して示す要部拡大平面図である。先ず、詰替カートリッジ１とケース２とを組み付けてなる組立状態（同図（ａ）参照）において、使用者が一方の手でケース２の起立板２２、２３を保持し、他方の手でスライド部材３に設けた一対の操作部３２２を相互に相寄る方向に押圧しながらスライド始端位置に位置するスライド部材３をケース２に対して後方へスライド移動させる。この操作に伴って、係止片３２３と係止孔２２４、２３４との係合状態（係止手段における係合状態）、及び嵌合爪１１２と嵌合孔３２１との嵌合状態がそれぞれ解除されるとともに、スライド部材３の突部３１１がスリット２１４内で詰替カートリッジ１の内側板１２に設けた離間誘発部１２６と干渉し始める。さらにスライド部材３を後方へスライド移動させると、突部３１１のテーパ面３１１ａが離間誘発部１２６のテーパ面１２６ａに当接し、スライド部材３が詰替カートリッジ１の内側板１２に漸次乗り上げる（同図（ｂ）参照）。その際、内側板１２に設けた一対の突起部１２５ａ、１２５ｂが、ケース２の起立板２２、２３に形成した溝２２１、２３１に各々案内されることにより、詰替カートリッジ１がスライド部材３のスライド方向と略直交する方向に沿って略直線状に浮き上がりケース２から徐々に分離する。そして、スライド部材３を所定距離後方へスライド移動させスライド終端位置に達すると、スライド部材３の小突部３１２がスリット２１４に形成した図示しないストッパ部に当接し、それ以上のスライド移動が規制される。この状態において、使用者が詰替カートリッジ１をそのままスライド部材３のスライド方向と略直交する方向に沿って移動させることにより、詰替カートリッジ１とケース２とを分離させることができる。他方、新たな交換カートリッジ１をケース２に組み付けるには、ケース２の起立板２２、２３に形成した溝２２１、２３１に、新たな詰替カートリッジ１の突起部１２５ａ、１２５ｂを案内させながら詰替カートリッジ１とケース２とを徐々に近付けるだけでよい。この操作に伴って、詰替カートリッジ１がスライド部材３のスライド方向と略直交する方向に沿って略直線状に移動し、詰替カートリッジ１の第２外側板１１の内側面がケース２の起立板２２、２３に設けた当接片２２２、２３２に当たる（なお、図４では当接片を省略している）。この際、前記溝２２１、２３１が詰替カートリッジ１の取付箇所を示唆する取付案内部としても機能する。なお、詰替カートリッジ１のケース２への取付時に、詰替カートリッジ１の内側板１２に設けた離間誘発部１２６と、スライド部材３の突部３１１とが干渉しないように、予めスライド部材３をスライド始端位置側へ移動させておき、詰替カートリッジ１をケース２に取り付けた後、スライド部材３をさらに前方へスライド移動させることにより、詰替カートリッジ１の外側板１１に設けた嵌合爪１１１２がスライド部材３に形成した嵌合孔３２１に嵌合するとともに、ケース２の起立板２２、２３に形成した係止孔２２４、２３４とスライド部材３に設けた係止片３２３とが係合し、安定した組付状態となる。また、スライド終端位置にスライド部材３が位置する状態において、ケース２の溝２２１、２３１に、新たな詰替カートリッジ１の突起部１２５ａ、１２５ｂを案内させながら詰替カートリッジ１とケース２とを徐々に近付けることにより、経過的に詰替カートリッジ１の離間誘発部１２６のテーパ面１２６ａと、スライド部材３の突部３１１のテーパ面３１１ａとが相互に干渉し、さらに詰替カートリッジ１とケース２とを徐々に近付ける操作に連動して、スライド部材３がケース２に対して相対的に前方に向かってスライド移動するように設定してもよい。
【００３６】
このように、本実施形態の転写具Ａは、スライド部材３をスライド移動させることにより、詰替カートリッジ１をスライド部材３のスライド方向と略直交する方向へ直線的に離間させる離間機構Ｘを介して詰替カートリッジ１とケース２とを分離させるように構成しているため、詰替カートリッジ１の分離動作が直線的な動作となり、所定箇所を支点に詰替カートリッジを回動させることにより詰替カートリッジをケースから分離する態様と比較して、詰替カートリッジ１の動作を単純化することができ、分離方法も把握し易く、使い勝手に優れたものとなる。その結果、詰替カートリッジ１をケース２から容易に分離することができ、転写用糊Ｔ及び転写ヘッドＫの交換作業を極めて簡単に行うことができる。しかも、ケース２に、スライド部材３のスライド方向と略直交する方向に沿って延びる溝２２１、２３１を設けるとともに、詰替カートリッジ１に、スライド部材３のスライド移動に伴って溝２２１、２３１に案内される突起部１２５ａ、１２５ｂを設けているため、詰替カートリッジ１をケース２から分離する作業時、及び新たな詰替カートリッジ１をケース２に取り付ける作業時に、溝２２１、２３１に突起部１２５ａ、１２５ｂを案内させることができ、詰替カートリッジ１の直線的な動作をより安定したものとし、これらの作業をスムーズかつ的確に行うことができる。加えて、溝２２１、２３１が、詰替カートリッジ１の装着箇所（詰替えポジション）を認識させる役割を果たすため、詰替カートリッジ１の交換作業のさらなる簡便化を有効に図ることができる。また、詰替カートリッジ１が転写用糊Ｔ及び転写ヘッドＫと保持するものであるため、使用者にとっては交換すべき部材が分かりやすく、その交換作業も非常に簡単に行うことができる。
【００３７】
また、離間機構Ｘを、スライド部材３に形成した突部３１１と、ケース２において突部３１１のスライド移動線上に設けられスライド部材３のスライド移動に伴って突部３１１と当接し、且つ詰替カートリッジ１をスライド部材３のスライド方向と略直交する方向へ直線的に離間させる離間誘発部１２６とを用いて構成しているため、簡素な構成でありながら、詰替カートリッジ１をスライド部材３のスライド移動に連動させてケース２から確実に離間させることができる。特に、突部３１１及び離間誘発部１２６に、スライド部材３のスライド移動過程で相互に当接し合うテーパ面３１１ａ、１２６ａをそれぞれ形成しているため、スライド部材３のスライド移動に伴って突部３１１のテーパ面３１１ａが離間誘発部１２６のテーパ面１２６ａに乗り上げ、これにより詰替カートリッジ１をケース２から容易に分離することができるようになる。
【００３８】
さらに、ケース２が、転写具Ａの一方の外側壁を構成する第１外側板２１と、第１外側板２１の周縁における所定領域から外側板２１と略直交する方向に起立させてなる起立板２２、２３とを具備し、これら起立板２２、２３に溝２２１、２３１を形成しているため、起立板２２、２３により転写具Ａの使用時に詰替カートリッジ１がケース２外に不意に飛び出すことを防止して詰替カートリッジ１を安定保持するとともに、この起立板２２、２３を利用して詰替カートリッジ１の交換作業を簡便に行うことができる。また、溝２２１、２３１を一対のリブ２２１ａ間、２３１ａ間に形成することにより、これら各リブ２２１ａ、２３１ａが起立板２２、２３を補強する補強部としても機能し、起立板２２、２３の強度を有効に高めることができる。またこれに伴い、起立板２２、２３自体の肉厚を有効な強度を損なわない限度において薄くすることも可能であるため、デザインの自由度を高めることができる。
【００３９】
また、第２外側板１１に設けた筒状部１１３ａ、小突起１１３ｂ、１１３ｃ、１１３ｄ、１１３ｅと、内側板１２に設けらた小突起１２４ａ、筒状部１２４ｂ、１２４ｃ、１２４ｄ、１２４ｅとをそれぞれ嵌合することにより第２外側板１１と内側板１２とを一体的に組付可能に構成してため、第２外側板１１と内側板１２とを簡単に組付けることができるとともに、第２外側板１１と内側板１２との組付状態も良好なものとすることができる。その結果、第２外側板１１と内側板１２とが分離した場合に生じる不具合、つまりこれら第２外側板１１と内側板１２との間に保持させてなる転写用糊Ｔ及び転写ヘッドＫが散乱し、詰替カートリッジとして機能しなくなるという虞を回避することができる。
【００４０】
特に、突起部１２５ａ、１２５ｂを筒状部１２４ｂ、１２４ｃの外周面に一体に設けているため、突起部１２５ａ、１２５ｂが筒状部１２４ｂ、１２４ｃを補強するリブとして機能し、筒状部１２４ｂ、１２４ｃの強度を高めることができる。
【００４１】
また、溝２２１、２３１をケース２の上縁部近傍領域と下縁部近傍領域とに対向するように一対にして設けるとともに、突起部１２５ａ、１２５ｂを詰替カートリッジ１の上縁部近傍領域と下縁部近傍領域とに対向するように一対にして設けているため、詰替カートリッジ１の安定した分離動作を実現するとともに、溝及び突起部の個数（形成箇所）を必要最小限度に抑えて転写具Ａの製作工程の簡略化をも有効に図ることができる。
【００４２】
スライド部材３に、スライド部材３のスライド操作を行う際に使用者が指を掛け得る操作部３２２を設け、この操作部３２２への操作に応じてスライド部材３をスライド始端位置においてケース２と係り合わせる係止手段における係合状態を解除可能に構成してため、スライド始端位置におけるスライド部材３とケース２とを密接に関連付けることができ、転写具Ａの使用時（スライド部材３がスライド始端位置に位置する状態）においてスライド部材３がケース２に対して相対移動するすることを防止することができる。
【００４３】
加えて、詰替カートリッジ１に、詰替カートリッジ１をケース２から分離する際におけるスライド部材３のスライド方向に沿って突出させてなる嵌合爪１１２を設け、スライド部材３に、スライド始端位置において嵌合爪１１２に嵌合可能な嵌合孔３２１を設けているため、転写具Ａの使用時（スライド部材３がスライド始端位置に位置する状態）において詰替カートリッジ１がケース２から不意に外れることを簡素な構造を用いて防止することができる。
【００４４】
なお、本発明は、以上に詳述した実施形態に限られるものではない。
【００４５】
例えば、スライド部材のスライド移動に連動して、前記詰替カートリッジをスライド部材のスライド方向に対して所定角度をなす斜め方向へ直線的に離間させる離間機構を介して詰替カートリッジとケースとを分離させるようにしても構わない。このようなものであっても、詰替カートリッジの直線的な動作を実現することができ、上述した効果を得ることができる。この場合、ガイド部（前記実施形態における溝）を、前記所定角度に沿って設ければよい。
【００４６】
また、前記実施形態において溝を起立板に設けた一対のリブ間に形成したが、起立壁の所定部位をその周辺部位より薄肉に設定し、当該所定部位を凹溝として機能させてもよい。
【００４７】
また、前記溝の開口巾寸法を、詰替カートリッジ側に開口させてなる開口縁に向かって漸次幅広となるように設定しても構わない。このようにすれば、被ガイド部たる突起部の溝への挿入作業をより容易に行うことができ、詰替カートリッジの交換作業をより簡単かつスムーズに行うことができる。
【００４８】
ガイド部及び被ガイド部の個数（形成箇所）を、単数または２以の複数に適宜増減しても構わない。
【００４９】
さらには、詰替カートリッジを構成する外側板に筒状部を設け、内側板に筒状部に内嵌し得る突起体を設け、これら筒状部と突起対とを嵌合することにより外側板と内側板とを一体的に組付可能に構成している詰替カートリッジであってもよい。
【００５０】
また、転写物としての転写用糊は、固体又は液体のり何れであってもよく、その他、修正テープや粘着テープ、粘着性を有しないテープ等のテープ類、接着剤等、転写対象物に転写される転写物一般に対して適用可能なものである。
【００５１】
加えて、前記実施形態においては、転写物を転写対象物に接触させる転写ヘッドを詰替カートリッジに保持させていたが、転写ヘッドをケースに取り付けたタイプの転写具であっても構わない。この場合、詰替カートリッジは少なくとも転写物を保持するものとなり、詰替カートリッジを交換することにより使用済みの転写物を新品の転写物に交換することができる。
【００５２】
その他、各部の具体的構成についても上記実施形態に限られるものではなく、本発明の趣旨を逸脱しない範囲で種々変形が可能である。
【図面の簡単な説明】
【００５３】
【図１】本発明の一実施形態に係る転写具を示す全体斜視図。
【図２】同分解斜視図。
【図３】同実施形態における詰替カートリッジの分解斜視図。
【図４】同実施形態の作用説明図。
【符号の説明】
【００５４】
１…詰替カートリッジ
１１…第２外側板
１１２…嵌合爪
１１３ａ…筒状部
１１３ｂ〜１１３ｅ…突起体（小突起）
１２…内側板
１２４ａ…突起体（小突起）
１２４ｂ〜１２４ｅ…筒状部
１２５ａ、１２５ｂ…被ガイド部（突起部）
１２６…離間誘発部
１２６ａ…テーパ面
２…ケース
２１…第１外側板
２２、２３…起立板
２２１、２３１…ガイド部（溝）
３…スライド部材
３１１…突部
３１１ａ…テーパ面
３２１…嵌合孔
３２２…操作部
Ａ…転写具
Ｋ…転写ヘッド
Ｔ…転写物（転写用糊）
Ｘ…離間機構
【図１】
2005193999.tif 000003
【図２】
2005193999.tif 000004
【図３】
2005193999.tif 000005
【図４】
2005193999.tif 000006